(57)【要約】【課題】  脚部の移動をスムーズに行うことができる上に脚部が取付孔から抜け出ることがない原稿圧着板開閉装置を提供する。【解決手段】  脚部３の側面３ａ又は取付孔の側壁に、その上下方向に延びるガイド溝５を設け、取付孔１５の側壁１５ａ又は脚部の側面に、ガイド溝５に案内されるローラ部材６を設け、ガイド溝５は、ローラ部材６が係合して脚部３の抜け出を防止する終端部５１を有することにより、前記課題を解決した。ガイド溝５は脚部３の両側面３ａに設けられ、ローラ部材６が、取付孔１５の両側壁１５ａに設けられていることが好ましい。【選択図】        図３
2008268521.tif 000002
【特許請求の範囲】
【請求項１】
原稿圧着板を有する事務機器の機器本体の後部上端に上下方向に設けた取付孔に摺動可能に挿入される脚部を有する原稿圧着板開閉装置であって、
前記脚部の側面に、その上下方向に延びるガイド溝を設け、
前記取付孔の側壁に、前記ガイド溝に案内されるローラ部材を設け、
前記ガイド溝は、前記ローラ部材が係合して前記脚部の抜け出を防止する終端部を有することを特徴とする、原稿圧着板開閉装置。
【請求項２】
前記ガイド溝が、前記脚部の両側面に設けられ、
前記ローラ部材が、前記取付孔の両側壁に設けられていることを特徴とする、請求項１に記載の原稿圧着板開閉装置。
【請求項３】
前記ガイド溝が、前記脚部の両側面を貫通して設けられ、
前記ローラ部材が、前記ガイド溝を貫通すると共に、このローラ部材の両端部が前記取付孔の両側壁に取り付けられていることを特徴とする、請求項１に記載の原稿圧着板開閉装置。
【請求項４】
前記ローラ部材は、前記取付孔の側壁に複数設けられていることを特徴とする、請求項１〜３のいずれか１項に記載の原稿圧着板開閉装置。
【請求項５】
前記ローラ部材は、前記取付孔の側壁の略中央部と上方との２箇所にそれぞれ設けられ、前記ガイド溝は、前記脚部の上方から下方までの間に設けられていることを特徴とする、請求項１〜３のいずれか１項に記載の原稿圧着板開閉装置。
【請求項６】
前記取付孔は、この取付孔の略左側半分が形成されている第１取付孔形成部材と、前記取付孔の残りの略右半分が形成されている第２取付孔形成部材とを互いに合わせて固定することにより形成されていることを特徴とする、請求項１〜５のいずれか１項に記載の原稿圧着板開閉装置。
【請求項７】
原稿圧着板を有する事務機器の機器本体の後部上端に上下方向に設けた取付孔に摺動可能に挿入される脚部を有する原稿圧着板開閉装置であって、
前記取付孔の両側壁に、その上下方向に延びるガイド溝を設け、
前記脚部の両側面に、互いに対向する方向に延び前記ガイド溝に案内されるローラ部材をそれぞれ設け、
前記ガイド溝は、前記ローラ部材が係合して前記脚部の抜け出を防止する終端部を有することを特徴とする、原稿圧着板開閉装置。
【請求項８】
前記ローラ部材は、前記脚部の両側面にそれぞれ複数設けられていることを特徴とする、請求項７に記載の原稿圧着板開閉装置。
【請求項９】
前記ローラ部材は、前記脚部の両側面の略中央部と下方との２箇所にそれぞれ設けられ、前記ガイド溝は、前記取付孔の上方から下方までの間に少なくとも設けられていることを特徴とする、請求項７に記載の原稿圧着板開閉装置。
【請求項１０】
前記ローラ部材は、前記脚部の両側面から突出するシャフトと、これらシャフトにその軸回りにそれぞれ回転可能に支持されているローラ部とからなることを特徴とする、請求項７〜９のいずれか１項に記載の原稿圧着板開閉装置。
【請求項１１】
前記取付孔は、この取付孔の略半分が形成されている第１取付孔形成部材と、前記取付孔の残りの略半分が形成されている第２取付孔形成部材とを互いに合わせて固定することにより形成されていることを特徴とする、請求項７〜１０のいずれか１項に記載の原稿圧着板開閉装置。
【請求項１２】
前記請求項１〜１１のいずれか１項に記載の原稿圧着板開閉装置を備えたことを特徴とする、原稿圧着板を備えた事務機器。
【発明の詳細な説明】
【技術分野】
【０００１】
本発明は、複写機、印刷機、ファクシミリ、スキャナー等の原稿圧着板を有する事務機器に用いて好適な原稿圧着板開閉装置及び原稿圧着板を備えた事務機器に関するものである。
【背景技術】
【０００２】
複写機、印刷機、ファクシミリ、スキャナー等の事務機器の機器本体には、その機器本体の上面後部に原稿圧着板が原稿圧着板開閉装置を介して開閉可能に取り付けられている。原稿圧着板開閉装置は、一種のヒンジ機構であり、原稿圧着板をヒンジ軸まわりに回動可能に軸支して、機器本体の上面のコンタクトガラス上に原稿圧着板を圧着させることができると共に、そのコンタクトガラスを露出させることができる。原稿をコンタクトガラス上にセットするには、原稿圧着板を上方に回転させてコンタクトガラスを露出（開放）させ、そのコンタクトガラス上に原稿を載置した後、原稿圧着板を逆方向に回転させて閉じ、原稿圧着板で原稿をコンタクトガラス上に圧着させることにより、原稿をコンタクトガラス上にセットすることができる。
【０００３】
このような原稿圧着板開閉装置の中には、本等のように厚さが厚い原稿を機器本体の上面に安定して圧着させるために、原稿圧着板開閉装置が機器本体の上下方向に移動することができるようになっている原稿圧着板開閉装置が知られている（例えば、特許文献１参照。）。この原稿圧着板開閉装置は、機器本体の高さ方向に延びる脚部を備え、この脚部が機器本体に設けた取付孔に摺動可能に挿入されて、原稿圧着板開閉装置が機器本体にその高さ方向に移動可能に取り付けられている。
【特許文献１】特許第３２６２４５７号
【発明の開示】
【発明が解決しようとする課題】
【０００４】
この特許文献１に記載されている原稿圧着板開閉装置は、本等のように厚さが厚い原稿の場合、原稿をコンタクトガラス上にセットした後に原稿圧着板を閉じると、原稿圧着板開閉装置が機器本体の上方に移動して原稿圧着板がコンタクトガラスに対して平行になった状態で原稿に面接触してコンタクトガラス上を覆うことができるので、本等のように厚さが厚い原稿を機器本体の上面に安定して圧着させることができる上に、外光が機器本体の内部へ侵入して露光が妨げられるのを極力防止することができるものである。
【０００５】
ところで、前記特許文献１に記載されている原稿圧着板開閉装置の脚部には、コロ部材が回転可能に設けられている。このコロ部材は、脚部の後面の下方と、前面の中央と上方との間との２箇所に設けられているために、原稿圧着板を閉じる方向に回転させる場合に脚部が取付孔内で移動するとき、コロ部材が取付孔の前面及び後面の内壁に接触して転がるので、脚部の移動がスムーズに行われる。この脚部は脚部の後面の下方に設けられている係合部（衝撃吸収部材）が取付孔の下端部に係合するまでの間で移動可能に取付孔に挿入されているが、原稿圧着板開閉装置を介して脚部を後部側に倒すと、係合部が取付孔の下端部に係合することなく脚部が取付孔から抜け出る。このため、原稿圧着板を開閉させるときに、取付孔から脚部が抜け出ることも考えられる。
【０００６】
本発明は、前記課題を解決するためになされたものであって、その目的は、脚部の移動をスムーズに行うことができる上に脚部が取付孔から抜け出ることがない原稿圧着板開閉装置及び原稿圧着板を備えた事務機器を提供することにある。
【課題を解決するための手段】
【０００７】
前記の目的を達成するために本発明に係る原稿圧着板開閉装置は、原稿圧着板を有する事務機器の機器本体の後部上端に上下方向に設けた取付孔に摺動可能に挿入される脚部を有する原稿圧着板開閉装置であって、前記脚部の側面に、その上下方向に延びるガイド溝を設け、前記取付孔の側壁に、前記ガイド溝に案内されるローラ部材を設け、前記ガイド溝は、前記ローラ部材が係合して前記脚部の抜け出を防止する終端部を有することを特徴とする。
【０００８】
この発明によれば、脚部の側面にガイド溝を設け、取付孔の側壁にガイド溝に案内されるローラ部材を設け、ガイド溝は、ローラ部材が係合して脚部の抜け出を防止する終端部を有することで、脚部が取付孔を移動するときにはローラ部材がガイド溝に案内されるので、脚部の移動がスムーズに行われる。また、脚部が取付孔から抜け出ようとしても、ローラ部材がガイドローラの終端部に係合して脚部の抜け出が防止される。従って、脚部の移動をスムーズに行うことができる上に脚部が取付孔から抜け出ることがない。
【０００９】
本発明に係る原稿圧着板開閉装置において、前記ガイド溝が、前記脚部の両側面に設けられ、前記ローラ部材が、前記取付孔の両側壁に設けられていることが好ましい。また、本発明に係る原稿圧着板開閉装置において、前記ガイド溝が、前記脚部の両側面を貫通して設けられ、前記ローラ部材が、前記ガイド溝を貫通すると共に、このローラ部材の両端部が前記取付孔の両側壁に取り付けられていることが好ましい。
【００１０】
また、本発明に係る原稿圧着板開閉装置において、前記ローラ部材は、前記取付孔の両側壁にそれぞれ複数設けられていることが好ましい。また、本発明に係る原稿圧着板開閉装置において、前記ローラ部材は、前記取付孔の両側壁の略中央部と上方との２箇所にそれぞれ設けられ、前記ガイド溝は、前記脚部の上方から下方までの間に設けられていることが好ましい。また、本発明に係る原稿圧着板開閉装置において、前記取付孔は、この取付孔の略左側半分が形成されている第１取付孔形成部材と、前記取付孔の残りの略右半分が形成されている第２取付孔形成部材とを互いに合わせて固定することにより形成されていることが好ましい。
【００１１】
また、前記の目的を達成するために本発明に係る原稿圧着板開閉装置は、原稿圧着板を有する事務機器の機器本体の後部上端に上下方向に設けた取付孔に摺動可能に挿入される脚部を有する原稿圧着板開閉装置であって、前記取付孔の両側壁に、その上下方向に延びるガイド溝を設け、前記脚部の両側面に、互いに対向する方向に延び前記ガイド溝に案内されるローラ部材をそれぞれ設け、前記ガイド溝は、前記ローラ部材が係合して前記脚部の抜け出を防止する終端部を有することを特徴とする。
【００１２】
この発明によれば、取付孔の両側壁にガイド溝をそれぞれ設け、脚部の両側面にガイド溝に案内されるローラ部材をそれぞれ設け、ガイド溝は、ローラ部材が係合して脚部の抜け出を防止する終端部を有することで、脚部が取付孔を移動するときにはローラ部材がガイド溝に案内されるので、脚部の移動がスムーズに行われる。また、脚部が取付孔から抜け出ようとしても、ローラ部材がガイドローラの終端部に係合して脚部の抜け出が防止される。従って、脚部の移動をスムーズに行うことができる上に脚部が取付孔から抜け出ることがない。
【００１３】
本発明に係る原稿圧着板開閉装置において、前記ローラ部材は、前記脚部の両側面にそれぞれ複数設けられていることが好ましい。また、本発明に係る原稿圧着板開閉装置において、前記ローラ部材は、前記脚部の両側面の略中央部と下方との２箇所にそれぞれ設けられ、前記ガイド溝は、前記取付孔の上方から下方までの間に少なくとも設けられていることが好ましい。また、本発明に係る原稿圧着板開閉装置において、前記ローラ部材は、前記脚部の両側面から突出するシャフトと、これらシャフトにその軸回りにそれぞれ回転可能に支持されているローラ部とからなることが好ましい。また、本発明に係る原稿圧着板開閉装置において、前記取付孔は、この取付孔の略半分が形成されている第１取付孔形成部材と、前記取付孔の残りの略半分が形成されている第２取付孔形成部材とを互いに合わせて固定することが好ましい。
【００１４】
また、前記の目的を達成するために本発明に係る原稿圧着板を備えた事務機器は、前記の本発明に係る原稿圧着板開閉装置を備えたことを特徴とする。この発明によれば、前述と同様に、脚部の側面又は取付孔の側壁にガイド溝を設け、取付孔の側壁又は脚部の側面にガイド溝に案内されるローラ部材を設け、ガイド溝は、ローラ部材が係合して脚部の抜け出を防止する終端部を有するので、脚部の移動をスムーズに行うことができる上に脚部が取付孔から抜け出ることがない。
【発明の効果】
【００１５】
以上説明したように本発明に係る原稿圧着板開閉装置及び原稿圧着板を備えた事務機器によれば、脚部の側面又は取付孔の側壁にガイド溝を設け、取付孔の側壁又は脚部の側面にガイド溝に案内されるローラ部材を設け、ガイド溝は、ローラ部材が係合して脚部の抜け出を防止する終端部を有するので、脚部の移動をスムーズに行うことができる上に脚部が取付孔から抜け出ることがない。
【発明を実施するための最良の形態】
【００１６】
以下、本発明に係る原稿圧着板開閉装置及び原稿圧着板を備えた事務機器を添付図面に基づいて詳述する。
【００１７】
図１〜図５は本発明に係る第１の原稿圧着板開閉装置の一例を示す図である。本発明に係る第１の原稿圧着板開閉装置は、図１に示すように、事務機器１０の機器本体１１の後端部に、原稿圧着板１２を回動可能に取り付けるものである。事務機器１０としては、特に限定されず、例えば、複写機、印刷機、ファクシミリ、スキャナー等が挙げられ、特に複写機が好ましいものとして挙げられるが、特に限定せずに説明する。
【００１８】
本発明に係る第１の原稿圧着板開閉装置１は、図１〜図５に示すように、原稿圧着板１２を有する事務機器１０の機器本体１１の後部上端に上下方向に設けた取付孔１５に摺動可能に挿入される脚部３を有するものであって、脚部３の側面に、その上下方向に延びるガイド溝５を設け、取付孔１５の側壁１５ａに、ガイド溝５に案内されるローラ部材６を設け、ガイド溝５は、ローラ部材６が係合して脚部３の抜け出を防止する終端部５１を有することに特徴がある。
【００１９】
機器本体１１の上面には、例えば、コンタクトガラス（図示せず）が設けられ、このコンタクトガラスに原稿を原稿圧着板１２によって密着させると共に、コンタクトガラスが原稿圧着板１２によって覆い隠されるようになっている。機器本体１１の上面の後端部近傍の２箇所には、上下方向（高さ方向ということがある。）に延びる取付孔１５がそれぞれ設けられている。取付孔１５は、横断面矩形状であって凹状に形成されている。
【００２０】
原稿圧着板開閉装置本体２は、図１〜図３に示すように、事務機器１０の機器本体１１に脚部３を介して取り付けられる取付部材２１と、この取付部材２１に回動可能に軸支されると共に、原稿圧着板１２に取り付けられる支持部材２２と、取付部材２１と支持部材２２との間に設けられ、原稿圧着板１２を開成方向に回転付勢する弾性部材２３とを備え、原稿圧着板１２を回転させて機器本体１１の上面を原稿圧着板１２で覆う閉成状態とその上面を露出させる開成状態とを形成するものである。
【００２１】
取付部材２１は、図１〜図７に示すように、例えば、脚部３を有する底部２１ａと、底部２１ａの両側端部からそれぞれ底部２１ａに対して略直交する方向に延びる両側部２１ｂとを備えてなる。
【００２２】
底部２１ａは、略矩形状に形成されている。底部２１ａの下面には、下面から下方に延びる脚部３が設けられている。脚部３は、例えば、取付孔１５より若干小さな平面視略矩形状に形成されていることが好ましい。また、脚部３の長さは、特に限定されないが、取付孔１５の長手方向（深さ方向）の長さより短い寸法で形成されていることが好ましい。この脚部３が機器本体１１の取付孔１５に摺動可能に挿入されて、取付部材２１の底部２１ａが機器本体１１の上面に接触した状態で原稿圧着板開閉装置本体２が機器本体１１に取り付けられるようになっている。
【００２３】
側部２１ｂには、ヒンジピン２４が挿通されるシャフト孔２１ｃが設けられている。側部２１ｂのシャフト孔２１ｃより前方には、受圧部２１ｄが設けられている。受圧部２１ｄは、カムスライダー２５を介して弾性部材２３が当接する箇所である。この受圧部２１ｄには、支持部材２２の回転を規制するカム係合部２１ｅが設けられている。
【００２４】
支持部材２２は、図１〜図６及び図８に示すように、例えば、一端部が閉塞された略矩形筒体状すなわち有底筒体状に合成樹脂等で形成されている。この支持部材２２は、内部に弾性部材２３が収容されており、スプリングケース２８でもある。この支持部材２２の両側部には、原稿圧着板１２の後端側にビス等で取り付けられる取付片２２ａがそれぞれ設けられている。この両側部の他端部（開口部側端部）には、シャフト挿通孔２２ｃがそれぞれ設けられている。これらシャフト挿通孔２２ｃと取付部材２１のシャフト孔２１ｃとが孔合わせされ、これら孔２２ｃ、２１ｃにワッシャー等を介してヒンジピン２４が挿通されることによって、支持部材２２が取付部材２１にヒンジピン２４を軸に回動可能に連結されている。また、支持部材２２の両側部には、ストッパー孔２２ｅが設けられていることが好ましい。このストッパー孔２２ｅは、例えば、ストッパーピン等を挿通させてカムスライダー２５がコンプレッションスプリング２３ａの付勢力によってシャフト挿通孔２２ｃを塞ぐことを阻止するために設けられたもので、特に組立時に有効に利用されるものである。
【００２５】
弾性部材２３は、原稿圧着板１２を開成方向に回転付勢するものである。なお、本発明において開成方向とは、原稿圧着板１２を回転させる際に原稿圧着板１２がコンタクトガラスから離間する方向をいう。本発明において閉成方向とは、開成方向とは反対の方向で原稿圧着板１２を回転させる際に原稿圧着板１２がコンタクトガラスに近づく方向をいう。
【００２６】
弾性部材２３は、特に限定されないが、例えば、コンプレッションスプリング２３ａである。コンプレッションスプリング２３ａは、支持部材２２内に収容されて支持部材２２の閉塞部２２ｄと受圧部２１ｄとの間に弾設されている。コンプレッションスプリング２３ａは、その個数は特に限定されず、１個でも２個以上でもよく図示例では２個である。コンプレッションスプリング２３ａの一端部は閉塞部２２ｄに当接されていると共に、コンプレッションスプリング２３ａの他端部は、例えば、カムスライダー２５に収容され、このカムスライダー２５を介して受圧部２１ｄに当接されている。
【００２７】
カムスライダー２５は、図３〜図５及び図１０に示すように、例えば、コンプレッションスプリング２３ａの他端部を収容する円形状の収容部２５ａを２つ有する有底筒体状に形成されている。受圧部２１ｄに当接されるカムスライダー２５の端面には、カム凸部２５ｅが設けられ、このカム凸部２５ｅが受圧部２１ｄに摺接されてカム係合部２１ｅに係合する範囲で取付部材２１に対して支持部材２２が回動するようになっている。また、カムスライダー２５の下面には、両側部側がそれぞれ凹んだ摺動部２５ｂが設けられており、これら摺動部２５ｂは、カムスライダー２５を支持部材２２内の長手方向に摺動させるものである。
【００２８】
支持部材２２内には、補強枠体９を設けることが好ましい。補強枠体９は、例えば、支持部材２２の閉塞部２２ｄ（底部）の内面と弾性部材２３の他端部との間に位置される補強部２６ａを有する補強ケース２６である。補強ケース２６は、例えば、合成樹脂で形成されている支持部材２２のクリープ（補強）対策として用いるもので、鋼板等を折り曲げて形成されている。補強ケース２６は、図９に示すように、例えば、支持部材２２の閉塞部２２ｄの内面に面接触する補強部２６ａと、この補強部２６ａの両端部を略直角に折り曲げて支持部材２２の側部に面接触する側部２６ｂとから略コ字状に形成されている。側部２６ｂの長さは、支持部材２２の側部のシャフト挿通孔２２ｃより長い寸法で形成されていることが好ましい。この補強ケース２６の両側部２６ｂには、シャフト挿通孔２２ｃに対応した位置にヒンジピン２４が挿通されるピン孔２６ｃが設けられている。また、補強ケース２６の両側部２６ｂには、ストッパー孔２６ｄが設けられていることが好ましい。補強ケース２６の上端部及び下端部には、摺動片２６ｅ、２６ｆがそれぞれ設けられている。上方の摺動片２６ｅは、カムスライダー２５の上面に接触すると共に、下方の摺動片２６ｆは、カムスライダー２５の下面の摺動部２５ｂに接触し、この状態のままカムスライダー２５が摺動するようになっている。
【００２９】
ガイド溝５は、脚部３の側面３ａにその上下方向に延びて設けられている。ガイド溝５は、図３〜図７に示すように、例えば、脚部３の両側面３ａにそれぞれ設けるようにしてもよいし、脚部３の両側面３ａを貫通して設けるようにしてもよい。ガイド溝５は、特に限定されないが、例えば、脚部３の側面３ａの上方から下方までの間に設けられている。このガイド溝５の下方の端部は、ローラ部材６が係合して脚部３の抜け出を防止する終端部５１として形成されている。
【００３０】
ローラ部材６は、取付孔１５の側壁１５ａに回転可能に設けられている。ローラ部材６は、例えば、取付孔１５の両側壁１５ａに互いに対向する方向に延びる軸を中心に回転可能に設けられている。このローラ部材６としては、特に限定されないが、例えば、取付孔１５の側壁１５ａからその幅方向に突出して延びるシャフト６１と、このシャフト６１の軸回りに回転可能に支持されているローラ部６２とからなる。このローラ部６２は、ガイド溝５の両壁部５ａ間の寸法より短く、例えば若干短い径で形成され、脚部３を取付孔１５に沿って移動させたとき、ガイド溝５内をローラ部６２が回転しながら脚部３がスムーズに移動し得るようになっている。
【００３１】
ローラ部材６は、取付孔１５の両側壁１５ａに複数個、例えば、２個設けられていることが好ましい。具体的には、ローラ部材６は、取付孔１５の両側壁１５ａの上方と略中央部との２箇所に設けられていることが好ましい。２つのローラ部材６の位置は、側壁１５ａの幅方向に対して略同じ位置でもずれた位置でもどちらでもよい。上方のローラ部材６は、例えば、脚部３を取付孔１５内に挿入して原稿圧着板開閉装置本体２を機器本体１１に取り付けたとき、ガイド溝５の上端部との間に間隙があるように配置されていることが好ましい。これにより、脚部３（原稿圧着板開閉装置本体２）は、取付部材２１の底部２１ａが機器本体１１の上面に接触した状態から下方のローラ部材６がガイド溝５の下端部に接触するまでの間で上下方向に移動可能になっている。
【００３２】
ローラ部材６を有する取付孔１５は、例えば、一方のローラ部材６を有する取付孔１５の略半分例えば左半分が形成されている第１取付孔形成部材１６と、他方のローラ部材６を有する取付孔１５の残りの略半分例えば右半分が形成されている第２取付孔形成部材１７とから形成されていることが好ましい。第１取付孔形成部材１６及び第２取付孔形成部材１７は、左右対称に形成されており、互いに合わされたとき、略矩形筒体状に形成されている。
【００３３】
第１取付孔形成部材１６及び第２取付孔形成部材１７の底部側の端部にはフランジ部１６ａ、１７ａがそれぞれ設けられている。このフランジ部１６ａ、１７ａには、第１取付孔形成部材１６及び第２取付孔形成部材１７を機器本体１１にビス等によって固定するための固定孔１６ｂ、１７ｂが設けられている。また、第１取付孔形成部材１６及び第２取付孔形成部材１７のどちらか一方の取付孔形成部材、例えば、第１取付孔形成部材１６には、その幅方向に延びると共に内面にネジ溝を有する取付孔１６ｃが例えば６個設けられ、第１取付孔形成部材１６及び第２取付孔形成部材１７のどちらか他方の取付孔形成部材、例えば、第２取付孔形成部材１７の取付孔１６ｃに対向する６箇所には、その幅方向に延びると共に貫通される取付孔１７ｃがそれぞれ設けられており、第１取付孔形成部材１６と第２取付孔形成部材１７とが互いに合わされてビスやネジ等により互いに固定されるようになっている。また、第１取付孔形成部材１６及び第２取付孔形成部材１７の互いに対向する面には、その高さ方向に延びると共に取付孔１５を形成するための凹状の取付孔形成凹部１８、１９がそれぞれ設けられている。これら取付孔形成凹部１８、１９には、ローラ部材６のシャフト６１をビスやネジ６３等で固定するための固定孔１８ａ、１９ａがそれぞれ２つ設けられている。
【００３４】
次に、本発明に係る第１の原稿圧着板開閉装置１及び事務機器１０の作用を説明する。
【００３５】
原稿圧着板１２は、機器本体１１が使用されていない状態では、図１に示すように、機器本体１１のコンタクトガラスに密着されてコンタクトガラスが覆い隠されている。コンタクトガラス上に原稿を載置するには、まず、原稿圧着板開閉装置本体２が取り付けられている箇所とは反対側の原稿圧着板１２の端部又はその近傍等を持って、原稿圧着板１２を上方に持ち上げる。すなわち、原稿圧着板１２をヒンジピン２４を軸に回転させてコンタクトガラス面を外部に露出させる。このように原稿圧着板１２を回転させるとき、原稿圧着板１２は、コンプレッションスプリング２３ａの付勢力によって開成方向に回転付勢されているので、重量を感じさせることなく開成方向に回転することができる。原稿圧着板１２は、カム凸部２５ｅがカム係合部２１ｅに当接するまで開くことができる（図４参照。）。
【００３６】
露出したコンタクトガラス面上に原稿を載置した後、持ち上げた原稿圧着板１２を降ろす。すなわち、原稿圧着板１２をコンタクトガラスと接触する閉成方向にヒンジピン２４を軸に回転させて下方に移動させて閉成状態にする。このとき、原稿が薄物例えば薄い紙１枚であると、原稿圧着板１２はヒンジピン２４を軸に回転のみして原稿圧着板１２によって原稿がコンタクトガラス上から浮き上がることなくコンタクトガラスに密着されると共に、外光が機器本体１１の内部へ侵入して露光が妨げられるのが極力防止されるので、原稿を良好に複写等することができる。
【００３７】
また、原稿が本のように厚さが厚い場合、開いた原稿圧着板１２を閉じる方向に回転させると、原稿圧着板１２が閉成状態になる前、すなわち、原稿圧着板１２が機器本体の上面（コンタクトガラス）と略平行になる前に、原稿圧着板１２が原稿の端部に接触して、この原稿の端部とは反対側の端部と原稿圧着板１２との間に空間が形成される。すなわち、原稿圧着板１２は、原稿圧着板開閉装置本体２と反対側の端部が浮いた状態となる。その浮いている側の原稿圧着板１２を機器本体１１側に押圧したり原稿圧着板１２の自重により、脚部３が取付孔１５から抜け出る方向（上方）に移動して原稿圧着板開閉装置本体２が上方に移動すると共に、原稿圧着板１２がヒンジピン２４を軸に回転する。すなわち、原稿の上部を覆うように原稿圧着板開閉装置本体２の高さが自動的に調節されて原稿圧着板１２が移動する（例えば、図５参照。）。例えば、その原稿の上部が平坦面である場合には、この上部に原稿圧着板１２が面接触する。その結果、厚さが厚い原稿が安定してコンタクトガラスに密着されることになる。よって、原稿圧着板１２は、原稿の厚さに関係なく原稿を安定してコンタクトガラスに密着することができる。
【００３８】
このように、脚部３が取付孔１５内を高さ方向に移動するとき、取付孔１５の両側壁１５ａに２個ずつ設けられているローラ部材６がそれぞれ脚部３のガイド溝５に案内されるので、脚部３の移動が確実にスムーズに行われる。また、原稿圧着板１２の脚部３を取付孔１５から抜こうとしても下方のローラ部材６がガイド溝５の終端部５１に係合して脚部３の取付孔１５から抜け出ることがない。従って、本発明に係る第１の原稿圧着板開閉装置１及び事務機器１０は、脚部３の移動をスムーズに行うことができる上に脚部３が取付孔１５から抜け出ることがない。
【００３９】
なお、前述の第１の原稿圧着板開閉装置では、ガイド溝５を脚部３の両側面３ａにそれぞれ設けると共に、ローラ部材６を取付孔１５の両側壁１５ａにそれぞれ設けるようにしたが、これに限定されず、例えば、図１５に示すように、ガイド溝５５を脚部３の両側面３ａを貫通して設けると共に、ローラ部材６５をガイド溝５５を貫通させてこの両端部を取付孔１５０の両側壁１５０ａに取り付けるようにしてもよい。具体的には、ガイド溝５５は、脚部３の側面３ａの上方から下方までの間であって両側面３ａを貫通して設けられている。このガイド溝５５の下方の端部は、ローラ部材６５が係合して脚部３の抜け出を防止する終端部５６として形成されている。
【００４０】
ローラ部材６５としては、例えば、両端部が取付孔１５０の両側壁１５０ａに取り付けられるシャフト６６と、このシャフト６６の軸回りに回転可能に支持されているローラ部６７とからなる。このローラ部６７は、ガイド溝５５の両壁部間の寸法より短く、例えば若干短い径で形成され、脚部３を取付孔１５０に沿って移動させたとき、ガイド溝５５内をローラ部６７が回転しながら脚部３がスムーズに移動し得るようになっている。シャフト６６の両端部近傍の外周には、例えば、Ｅリング６８を取り付けるための取付溝６６ａがそれぞれ設けられている。
【００４１】
取付孔１５０は、例えば、コ字状の取付孔形成部材１６０によって形成される。取付孔形成部材１６０は、例えば、板金をコ字状に折り曲げてなる。取付孔形成部材１６０の両端部は、外側に折り曲げられてフランジ部１６０ａとして形成されている。取付孔形成部材１６０には、ローラ部材６５を取り付けるための貫通孔１６０ｂが設けられている。
【００４２】
ローラ部材６５の組み立ては、まず、ローラ部６７を脚部３のガイド溝５５内に位置させたまま、この脚部３を取付孔１５０を形成する取付孔形成部材１６０内に挿入し、ローラ部６７と貫通孔１６０ｂとを軸合わせする。これら貫通孔１６０ｂとローラ部６７とにシャフト６６を挿入して貫通させる。取付孔形成部材１６０の両側部から突出するシャフト６６の両端部の取付溝６６ａにＥリング６８をそれぞれ取り付けることにより、ローラ部材６５がガイド溝５５に係合された状態でローラ部材６５が組み立てられる。これにより、前述と同様の作用効果を奏し、脚部３の移動をスムーズに行うことができる上に脚部３が取付孔１５０から抜け出ることがない。
【００４３】
図１６は本発明に係る第２の原稿圧着板開閉装置の一例を示す図である。本発明に係る第２の原稿圧着板開閉装置は、図１６に示すように、ガイド溝７が取付孔１５の両側壁１５ａに設けられていると共に、ローラ部材８が脚部３の両側面３ａに設けられていることに特徴がある。なお、以下に、第２の原稿圧着板開閉装置１００について説明するが、前記の第１の原稿圧着板開閉装置１と同一の部分には同一の名称を付しその説明を省略することがある。
【００４４】
ガイド溝７は、特に限定されないが、少なくとも取付孔１５の両側壁１５ａの上方から下方までの箇所に設けられていることが好ましく、図示例では、取付孔１５の両側壁１５ａの上方から底部までの間に設けられている。このガイド溝７の上方の端部は、ローラ部材８が係合して脚部３の抜け出を防止する終端部１５１として形成されている。ガイド溝７を有する取付孔１５は、図１６、図１８及び図１９に示すように、例えば、一方のガイド溝７を有する取付孔１５の略半分例えば左半分が形成されている第１取付孔形成部材７１と、他方のガイド溝７を有する取付孔１５の残りの略半分例えば右半分が形成されている第２取付孔形成部材７２とから形成されていることが好ましい。第１取付孔形成部材７１及び第２取付孔形成部材７２は、左右対称に形成されており、互いに合わされたとき、略矩形筒体状に形成されている。
【００４５】
第１取付孔形成部材７１及び第２取付孔形成部材７２の底部側の端部にはフランジ部７１ａ、７２ａがそれぞれ設けられている。このフランジ部７１ａ、７２ａには、第１取付孔形成部材７１及び第２取付孔形成部材７２を機器本体１１にビス等によって固定するための固定孔７１ｂ、７２ｂが設けられている。また、第１取付孔形成部材７１及び第２取付孔形成部材７２のどちらか一方の取付孔形成部材、例えば、第１取付孔形成部材７１には、その幅方向に延びると共に内面にネジ溝を有する取付孔７１ｃが例えば６個設けられ、第１取付孔形成部材７１及び第２取付孔形成部材７２のどちらか他方の取付孔形成部材、例えば、第２取付孔形成部材７２の取付孔７１ｃに対向する６箇所には、その幅方向に延びると共に貫通される取付孔７２ｃがそれぞれ設けられており、第１取付孔形成部材７１と第２取付孔形成部材７２とが互いに合わされてビスやネジ等により互いに固定されるようになっている。また、第１取付孔形成部材７１及び第２取付孔形成部材７２の互いに対向する面には、その高さ方向に延びると共に取付孔１５を形成するための凹状の取付孔形成凹部７３、７４がそれぞれ設けられている。
【００４６】
ローラ部材８は、図１６及び図１７に示すように、脚部３の両側面３ａに幅方向に延びる軸を中心に回転可能に設けられている。ローラ部材８としては、特に限定されないが、例えば、脚部３の両側面３ａからその幅方向に突出して延びるシャフト８１、８２と、このシャフト８１、８２の軸回りに回転可能に支持されているローラ部８３とからなる。これらシャフト８１、８２は、例えば、ネジ機構等により互いに螺合されて１本のシャフトとして形成されている。このシャフト８１、８２の長さは、脚部３の両側面３ａを貫通する貫通孔３１より長い寸法で形成されている。このシャフト８１、８２が貫通孔３１に挿入されて、この貫通孔３１（両側面３ａ）から突出するシャフト８１、８２の両端部の外周に、その軸回りに回動可能にローラ部８３がそれぞれ設けられている。シャフト８１、８２の両端部には、例えば、ワッシャー付のネジ部材８４が設けられて、ローラ部８３がシャフト８１、８２の両端部から抜け出ないようになっている。
【００４７】
ローラ部８３は、ガイド溝７の両壁部７ａ間の寸法より細く、例えば若干細い径で形成され、脚部３を取付孔１５に沿って移動させたとき、ガイド溝７内を回転しながら脚部３がスムーズに移動し得るようになっている。すなわち、ローラ部材８は、ガイド溝７の両壁部７ａに摺接しつつガイド溝７に案内されるものである。ローラ部材８は、脚部３の両側面３ａにそれぞれ複数個、例えば、２個設けられていることが好ましい。具体的には、ローラ部材８は、脚部３の両側面３ａの略中央部と下方との２箇所に設けられていることが好ましい。これにより、脚部３（原稿圧着板開閉装置本体２）は、取付部材２１の底部２１ａが機器本体１１の上面に接触した状態から上方のローラ部材８がガイド溝７の上端部に接触するまでの間で上下方向に移動可能になっている。
【００４８】
このように構成しても前述と同様の作用効果を奏する。すなわち、脚部３が取付孔１５内を高さ方向に移動するとき、脚部３の両側面３ａに２個ずつ設けられているローラ部材８がそれぞれ取付孔１５のガイド溝７に案内されるので、脚部３の移動が確実にスムーズに行われる。また、原稿圧着板１２の脚部３を取付孔１５から抜こうとしても下方のローラ部材８がガイド溝７の終端部１５１に係合して脚部３の取付孔１５から抜け出ることがない。従って、本発明に係る第２の原稿圧着板開閉装置１００は、脚部３の移動をスムーズに行うことができる上に脚部３が取付孔１５から抜け出ることがない。
【産業上の利用可能性】
【００４９】
以上説明したように本発明に係る原稿圧着板開閉装置は、脚部の側面又は取付孔の側壁にガイド溝を設け、取付孔の側壁又は脚部の側面にガイド溝に案内されるローラ部材を設け、ガイド溝は、ローラ部材が係合して脚部の抜け出を防止する終端部を有するので、脚部の移動をスムーズに行うことができる上に脚部が取付孔から抜け出ることがないことから、特に複写機、印刷機、ファクシミリ、スキャナー等の事務機器の原稿圧着板開閉装置として好適に用いられるものである。
【図面の簡単な説明】
【００５０】
【図１】本発明に係る原稿圧着板開閉装置を備えた事務機器の一例を示し、原稿圧着板を閉じた状態を示す図で、（ａ）は概略平面図、（ｂ）は概略側面図である。
【図２】本発明に係る第１の原稿圧着板開閉装置の一例を示す図で、（ａ）は斜視図、（ｂ）は平面図、（ｃ）は側面図、（ｄ）は正面図、（ｅ）は（ｃ）中のＡ−Ａ線矢視断面図である。
【図３】図２（ｄ）中のＢ−Ｂ線矢視断面図である。
【図４】本発明に係る第１の原稿圧着板開閉装置における開成状態の一例を示す断面図である。
【図５】本発明に係る原稿圧着板開閉装置本体が浮いた状態を示す断面図である。
【図６】本発明に係る第１の原稿圧着板開閉装置本体の一例を示す図で、（ａ）及び（ｂ）は斜視図、（ｃ）は側面図、（ｄ）は背面図である。
【図７】本発明に係る取付部材の一例を示す図で、（ａ）は斜視図、（ｂ）は正面図、（ｃ）は側面図、（ｄ）は（ｃ）中のＣ−Ｃ線矢視断面図である。
【図８】本発明に係る支持部材の一例を示す図で、（ａ）は斜視図、（ｂ）は平面図、（ｃ）は正面図、（ｄ）は側面図、（ｅ）は（ｃ）中のＤ−Ｄ線矢視断面図である。
【図９】本発明に係る補強ケースの一例を示す図で、（ａ）及び（ｂ）は斜視図、（ｃ）は平面図、（ｄ）は正面図である。
【図１０】本発明にカムスライダーの一例を示す図で、（ａ）及び（ｂ）は斜視図、（ｃ）は側面図、（ｄ）は（ｃ）中のＥ−Ｅ線矢視断面図である。
【図１１】本発明に係るローラ部材を有する第１取付孔形成部材の一例を示す図で、（ａ）は正面図、（ｂ）は平面図である。
【図１２】本発明に係るローラ部材を有する第２取付孔形成部材の一例を示す図で、（ａ）は正面図、（ｂ）は平面図である。
【図１３】本発明に係る第１取付孔形成部材の一例を示す図で、（ａ）は正面図、（ｂ）は平面図である。
【図１４】本発明に係る第２取付孔形成部材の一例を示す図で、（ａ）は正面図、（ｂ）は平面図である。
【図１５】本発明に係る第１の原稿圧着板開閉装置の他の例を示す概略分解斜視図である。
【図１６】本発明に係る第２の原稿圧着板開閉装置の一例を示す図で、（ａ）は側面図、（ｂ）は平面図、（ｃ）は正面図、（ｄ）は（ａ）中のＦ−Ｆ線矢視断面図である。
【図１７】本発明に係る第２の原稿圧着板開閉装置本体の一例を示す斜視図である。
【図１８】本発明に係る第１取付孔形成部材の他の例を示す図で、（ａ）及び（ｂ）は斜視図、（ｃ）は正面図である。
【図１９】本発明に係る第２取付孔形成部材の他の例を示す図で、（ａ）及び（ｂ）は斜視図、（ｃ）は正面図である。
【符号の説明】
【００５１】
１  第１の原稿圧着板開閉装置
２  原稿圧着板開閉装置本体
３  脚部
３ａ  側面
５  ガイド溝
５ａ  壁部
６  ローラ部材
７  ガイド溝
７ａ  壁部
８  ローラ部材
１０  事務機器
１１  機器本体
１２  原稿圧着板
１５  取付孔
１５ａ  側壁
１６  第１取付孔形成部材
１７  第２取付孔形成部材
５１  終端部
５５  ガイド溝
５６  終端部
６５  ローラ部材
７１  第１取付孔形成部材
７２  第２取付孔形成部材
８１、８２  シャフト
８３  ローラ部
１００  第２の原稿圧着板開閉装置
１５０  取付孔
１５１  終端部
【図１】
2008268521.tif 000003
【図２】
2008268521.tif 000004
【図３】
2008268521.tif 000005
【図４】
2008268521.tif 000006
【図５】
2008268521.tif 000007
【図６】
2008268521.tif 000008
【図７】
2008268521.tif 000009
【図８】
2008268521.tif 000010
【図９】
2008268521.tif 000011
【図１０】
2008268521.tif 000012
【図１１】
2008268521.tif 000013
【図１２】
2008268521.tif 000014
【図１３】
2008268521.tif 000015
【図１４】
2008268521.tif 000016
【図１５】
2008268521.tif 000017
【図１６】
2008268521.tif 000018
【図１７】
2008268521.tif 000019
【図１８】
2008268521.tif 000020
【図１９】
2008268521.tif 000021